(57)【要約】【課題】  通気性および遮光性を有すると共に、外観上のデザインが極めて優れた帽子を提供する。【手段】  帽体の前部および後部に開口が設けられ、該開口にルーバー枠と羽板とからなるルーバー機構が固定される。【選択図】図１
2013019088.tif 000002
【特許請求の範囲】
【請求項１】
帽体の前部および後部に開口が設けられ、該開口にルーバー枠と羽板とからなるルーバー機構が固定されたことを特徴とする帽子。
【請求項２】
前記羽板を回動自在とした請求項１記載の帽子。
【請求項３】
前記帽体の内側にバンドが設けられ、帽子を被着した状態において、頭部に前記バンドが接触するが前記帽体は接触しないで、頭部と前記帽体の間に隙間が形成されることを特徴とする請求項１または２記載の帽子。
【請求項４】
前記帽体の内側にハンモックが設けられ、帽子を被着した状態において、頭部に前記ハンモックが接触するが前記帽体は接触しないで、頭部と前記帽体の間に隙間が形成されることを特徴とする請求項１または２記載の帽子。
【発明の詳細な説明】
【技術分野】
【０００１】  この発明は、通気性および遮光性を有する帽子に関するものである。
【背景技術】
【０００２】  従来、通気性を有する帽子としては、帽体に通気孔を設けるもの、帽体の生地の一部または全部にメッシュ素材を用いるもの等が知られている。
帽体に通気孔を設ける方式は、直径１ｍｍ〜５ｍｍ程度の通気孔が帽体の適宜位置に数か所設けられるが、通気孔が小さいため清涼感を感じるのに十分な通気性を確保することはできなかった。また、帽体の生地の一部にメッシュ素材を用いた場合には、通気性を確保することはできるが、メッシュ素材を用いた部分において直接日光が当たるため、被着者は十分な清涼感を感じることができない。さらに、帽体に通気孔を設けたり、帽体の生地の一部にメッシュ素材を用いたりした場合は、外観上の体裁も良くない。【０００３】  特許文献１には、遮光素材からなるクラウン表地と通気素材からなるクラウン裏地とでクラウンを形成した帽子であって、クラウン表地の下縁における所定区間をクラウン裏地に対して縫着せずにふらし、クラウン表地の下縁におけるふらした部分の下側からクラウン表地とクラウン裏地との隙間へ外気を導入することができるようにしたことを特徴とする帽子が開示されている。しかしながら、単に表地と裏地を縫着しないという方法のみでは、外気を導入するための隙間が十分に確保されているとはいえない。また、クラウン表地の下縁における所定区間をクラウン裏地に対して縫着しないので、十分な通気性を確保しようとするとクラウン下縁の強度が弱くなるという問題がある。【０００４】  他方、特許文献２には、リング状シートを重合して構成したことを特徴とする帽子が開示されている。本発明によれば、遮光性と通気性の双方を確保することができる。しかしながら、本発明に係る帽子は、従来の帽子の製法とは全く異なる製法により製造されるものであるため、量産が困難である上、製造コストも高くなる。また、リング状シートを重合するのみであるため、構造上、頭部を保護するという帽子本来の機能を果たすことができない。
【先行技術文献】
【特許文献】
【０００５】
【特許文献１】特開２００８−３０８７９０号公報
【特許文献２】特開２００１−２２６８１４号公報
【発明の概要】
【発明が解決しようとする課題】
【０００６】  本発明は、通気性および遮光性を有すると共に、外観上のデザインが極めて優れた帽子を提供することを目的とするものである。
【課題を解決するための手段】
【０００７】  本発明は、帽体の前部および後部に開口が設けられ、該開口にルーバー枠と羽板とからなるルーバー機構が固定されたことを特徴とする。【０００８】  前記羽板を回動自在としたことが好ましい。【０００９】  前記帽体の内側にバンドが設けられ、帽子を被着した状態において、頭部に前記バンドが接触するが前記帽体は接触しないで、頭部と前記帽体の間に隙間が形成されることが好ましい。
前記帽体の内側にハンモックが設けられ、帽子を被着した状態において、頭部に前記ハンモックが接触するが前記帽体は接触しないで、頭部と前記帽体の間に隙間が形成されることが好ましい。
【発明の効果】
【００１０】  本発明に係る帽子は、通気性および遮光性を有するため、被着者は十分な清涼感を感じることができる。また、従来の帽子に開口を設け、該開口にルーバー機構を固定するので、製作容易で外観上のデザインも極めて優れたものとなる。さらに、頭部を保護するという帽子本来の機能を維持することができる。
【図面の簡単な説明】
【００１１】
【図１】本発明の帽子の正面図（図１（１））と側面図（図１（２））である。
【図２】帽体２及びルーバー機構８を分離して示す側面図である。
【図３】ルーバー機構８の正面図（図３（１））と側面図（図３（２））である。
【図４】本発明の帽子の縦断側面図である。
【図５】本発明の帽子の他の実施形態の縦断側面図である。
【図６】本発明の帽子の他の実施形態の底面図である。
【発明を実施するための形態】
【００１２】  以下、本発明に係る通気性を有する帽子の実施形態を図面に基づいて説明する。
図１（１）は、本発明に係る帽子の正面図、図１（２）はその側面図であり、帽子を構成する帽体２及びルーバー機構８Ａ、８Ｂが示されている。図２は、帽体２及びルーバー機構８Ａ、８Ｂを分離して示す側面図である。
【００１３】  帽子に設けられるルーバー機構８については図３を用いて後述するように、羽板１０およびルーバー枠２０とからなり、ルーバー機構８はルーバー枠２０の周縁に形成される取付部２１を介して帽体前部および帽体後部に設けられた開口３Ａ、３Ｂに固定される。
【００１４】  次に、図３を用いてルーバー機構８を説明する。
図３にはルーバー機構８が示されており、図３（１）はその正面図、図３（２）はその側面図である。
これらの図において、所要の長さ、幅、厚みを有する羽板１０が、ルーバー枠２０に一定の隙間をあけて平行に設置されている。ルーバー枠２０の周縁にはルーバー機構８を帽体２に固定するための取付部２１が形成される。
【００１５】  ルーバー機構８の大きさについて格別の制限はなく、十分な通気性を確保することのできる大きさとすれば良い。但し、頭部を保護するという帽子本来の目的を果たす必要性と、ルーバー機構８の製造コストを廉価に抑える必要性を考慮すると、帽体２の表面積の１／４以下の大きさとすることが好ましい。
本実施形態においてルーバー機構８の外形は台形としたが、円形、楕円形、矩形、その他種々の形状とすることができる。
【００１６】  羽板１０の長さ、幅、厚みは、帽体２の大きさやルーバー機構８の大きさに多分に依存するものの、格別の制限はない。但し、通気性と遮光性を確保すると共に、羽板１０の強度を保持する必要性から、長さ５０ｍｍ〜１５０ｍｍ、幅５ｍｍ〜１０ｍｍ、厚み０．５ｍｍ〜２ｍｍの範囲とすることが好ましい。
本実施形態において羽板１０の断面を矩形としたが、必ずしも矩形でなくとも良い。
【００１７】  羽板１０の枚数および間隔については、格別の制限はなく、通気性および遮光性が確保されるものであれば良い。通常、羽板の枚数は３枚〜１０枚、その間隔は１ｍｍ〜５ｍｍの範囲とすることが好ましい。羽板１０の角度に特に制限はなく、日差しを有効に遮ることのきる角度とすれば良い。例えば、西日の入射角に対して垂直に光を受けることのできる角度とすれば、日中の日差しを全て遮ることが可能となる。また、使用状況によって自由に羽板１０の角度を変えることのできるものとしても良い。
【００１８】  ルーバー機構８は、可撓性を有する合成樹脂により成型することができ、特に、ポリアセタール、ポリオキシメチレン、ポリアミド、ポリカーボネート、ナイロンなどの弾性を有する合成樹脂により成型することが好ましい。このルーバー機構８は、僅かな部品により構成され、かつ、簡易な構造の故に、金型で容易に一体成型することができる。
【００１９】  本実施形態において、帽体前部および後部に其々一つずつ開口３Ａ、３Ｂを設けたが、帽体前部および後部に設けられる開口３の数量に制限はない。通気性や外観上のデザイン、開口３とルーバー機構８の大きさ等を考慮して適宜数量を決定すれば良い。
【００２０】  続いて、図１に示すルーバー機構付き帽子の作用を説明する。
ルーバー機構８Ａ、８Ｂが帽体２の前部および後部に設けられた開口３Ａ、３Ｂに固定されるので、羽板１０Ａ、１０Ｂの隙間から外気が導入され、かつ、羽板１０Ａ、１０Ｂにより日差しを遮ることが可能となる。本発明のルーバー機構付き帽子の構造によれば、ルーバー機構８Ａ、８Ｂから流入する大量の外気は、帽子の被着者の頭部に直接接触することに加えて、羽板１０Ａにより日差しが遮られるので、冷却効果が体感上極めて優れている。図４は本実施形態における帽子の縦断側面図である。
【００２１】  次に本発明の別の実施形態について図５および図６を参照しながら説明する。
図５は本実施形態における帽子の縦断側面図、図６はその底面図である。
この実施形態では、帽体２の前部および後部にルーバー機構８Ａ、８Ｂが設けられるほか、帽体内部にバンド３０Ａ、３０Ｂが設置されている。
【００２２】  本実施形態における帽子を被着した状態では、被着者の額にバンド３０Ａが接触し、被着者の頭頂部から後頭部にかけてバンド３０Ｂが接触する。これにより、被着者の頭部と帽体２の間に隙間が形成される。したがって、外気が帽体前部および帽体後部のルーバー機構８Ａ、８Ｂから帽体内部に入ると、その空気は帽体内部に形成される前記隙間から導入される。その際、帽体内部に貯留する蒸れた空気も、この外気流に同伴されて瞬時に帽体外部に排気される。
【００２３】  前記帽体前部に設けられるルーバー機構８Ａが主として外気の導入口として機能するのに対して、前記帽体後部に設けられるルーバー機構８Ｂは導入されかつ帽体内部に溜まった空気の排気口として機能することが求められることから、ルーバー機構８Ａと対向する位置、特に、帽体２の頂部後方位置とすることが好ましい。
【００２４】  バンド３０はルーバー機構８から導入された外気の通路が確保されるように設置されれば良く、その設置位置と数量に特に制限はない。つまり、帽子の被着状態において頭部と帽体２の間に隙間が形成されるように設ければ良い。
【００２５】  また、図示しないが、帽体内部にハンモックを設けることによっても、頭部と帽体２の間に隙間を形成することができる。
【符号の説明】
【００２６】２      帽体
３      開口
８      ルーバー
１０    羽板
２０    ルーバー枠
２１    取付部
３０    バンド
【図１】
2013019088.tif 000003
【図２】
2013019088.tif 000004
【図３】
2013019088.tif 000005
【図４】
2013019088.tif 000006
【図５】
2013019088.tif 000007
【図６】
2013019088.tif 000008